(57)【要約】輸液中に静脈アクセスポートに残留する液体の量を最小にすること。静脈アクセスポート（１００、１００Ａ）は、ポート本体（１０２）と、隔壁（１０４）と、チャンバー（１１２、１１２Ａ）と、該チャンバーから外側に貫通して延在する流路（１１０）を有する排出ポート（１０８）とを備えている。該チャンバー底部の周辺部には過流路（１１６、１１６Ａ）が形成されているとともに、チャンバー（１１２、１１２Ａ）の中央部は、チャンバー底面について、チャンバーの側壁と近接している部分から凸状、あるいは、円錐状に隆起している。
2010500887.tif 000002
【特許請求の範囲】
【請求項１】
排出ポート（１０８）を有するポート本体（１０２）と、
針を挿入可能な隔壁（１０４）とを備え、
前記ポート本体（１０２）と隔壁（１０４）は、それらの間に前記排出ポート（１０８）まで流路（１１０）と流体的に連通するチャンバー（１１２、１１２Ａ）を形成し、
前記チャンバー（１１２、１１２Ａ）は、側壁（１１８、１１８Ａ）とチャンバー底面（１１４、１１４Ａ）とを備え、
チャンバー床面の中央部がチャンバー床面の周辺部に対して高く形成されている、静脈アクセスポート（１００、１００Ａ）。
【請求項２】
チャンバー床面（１１４）は中央部が凸状に形成されている、請求項１に記載の静脈アクセスポート（１００、１００Ａ）
【請求項３】
チャンバー床面（１１４）は上方の頂点（１１５）と、チャンバー床面の周縁にまで及ぶ比較的平坦に傾斜した側面（１１７）とを有する円錐形である、請求項１に記載の静脈アクセスポート（１００、１００Ａ）。
【請求項４】
チャンバー床面（１１４Ａ）の周縁は、チャンバー側壁（１１８Ａ）に接続するように丸みを帯びた形状をなしている、請求項３に記載の静脈アクセスポート（１００、１００Ａ）。
【請求項５】
チャンバー床面（１１４、１１４Ａ）は、実質的な大きさの水平部分を有していない、請求項１に記載の静脈アクセスポート（１００、１００Ａ）。
【発明の詳細な説明】
【技術分野】
【０００１】
本発明は、医療器具に関し、特に、静脈アクセスポートに関する。
【背景技術】
【０００２】
患者に液体の注入、および／または、回収するための静脈アクセスポートは公知である。それらの装置は、通常、薬剤の注入や少量の血液の吸引に使用される。血液透析や血漿交換等のように、大流量を必要とする所ではより大きなポートを使用できる。
【０００３】
一部のポートは、皮下に埋め込み可能である。埋め込み可能な静脈アクセスポートは、長い期間患者の中に滞在させることができ、複数使用を許容し、かつ、感染症併発の危険性を減少させるという利点を有している。それらのポートは、主として、連続的に新たな投与部位を捜すことなく複数回注射するための投与部位を定める隔壁を備えている。これは、隔壁が針を引き抜く毎に自己封止可能な例えば、シリコンエラストマー等の材料からなるからである。また、これらのポートには、それぞれ、遠心壁まで延在する通路を有するステムまたは放出ポートが設けられている。放出ポートの通路がカテーテルの内腔とステムがカテーテルの近位端に固定されている。そのようなカテーテル注入ポートの一例が特許文献１に開示されている。
【０００４】
デュアルポートまたはマルチポートとして知られている他の種類のポートが使用される。これらは、２またはそれ以上の内部隔壁とチャンバーを備えており、チャンバー（それぞれの排出ポートを通じて取付けられたカテーテルの異なる内腔、または、代わりに対応する全て）は、例えば、特許文献２のように、二重内腔カテーテルや多重内腔カテーテルの各内腔を通じさせるために単一のステムで通路を分離している。
【０００５】
【特許文献１】米国特許第６１１３５７２号明細書
【特許文献２】米国特許第５３６０４０７号明細書
【発明の開示】
【発明が解決しようとする課題】
【０００６】
そのような静脈アクセスポートは、一般的に円形状であり、少なくともチャンバーまたは各チャンバーは一般的に円形であり、当該チャンバー床面は平面である。チャンバーが円形状であることと、チャンバーの床面が平面であることから、注射された液体は輸液中、渦を生ずる。液体が円形状チャンバーの平面の底の中心付近にあることにより、チャンバー内に多少の液体が残留し、渦の流れがチャンバー底面の周辺で発生することがよく見られる。
【０００７】
輸液中に静脈アクセスポートに残留する液体の量を最小にすることが望まれる。
【課題を解決するための手段】
【０００８】
本発明は、チャンバーの中央部が高く形成され、かつ傾斜した底面の側面が、チャンバー側壁に隣接するチャンバー底面の周縁にまで延在する、チャンバーまたは液体タンクの底面を有する静脈アクセスポートに関する。好ましくは、チャンバーの底面は凸状すなわちドーム形状であり、チャンバーの底面は低い頂点と平坦な傾斜した側面を持つ円錐状であってもよい。また、チャンバー底面は好ましくはチャンバー側壁に隣接して丸みを帯びて（radiused）形成される。
【発明を実施するための最良の形態】
【０００９】
図面において、同一符号のものは同一の構成要素を示している。特定の専門用語が便宜上用いられているが、（これらは）本発明を限定するべきものではない。「先端部」および「近接した」という用語は、移植可能なカテーテル本体において、カテーテルの挿入先端に近づく方向、並びにカテーテルの挿入先端から離れる方向をそれぞれ示すものである。用語は、具体的な用語、それに関して派生した用語および類似の用語を含んでいる。以下で説明する実施形態は包括的なものではなく、発明を開示された内容そのものに限定するものではない。これらの実施形態は、発明の原理、適用、および実用的用途について最良に説明し、他の当業者が発明を最良に利用できるように選択され、記載されたものである。
【００１０】
静脈アクセスポートの第１実施形態は、図１および図２に示すように、基盤１０２、隔壁１０４、および基盤に隔壁を固定する保持蓋１０６を備えている。排出ポート１０８は、カテーテル（図示せず）の先端部が取付けられる基盤から延び、流路１１０は、排出ポート１０８を通して隔壁１０４と基盤１０２との間で形成されているチャンバー１１２からカテーテルの内腔に通じている。隔壁１０４は、自己封止可能な材料、好ましくは、シリコンエラストマーのような材料で作られている。それにより、薬剤の注入のために隔壁を通して注入針を挿入でき、隔壁から注射針を引き抜くと同時に、隔壁は即座に針が通っていた穴を封止する。
【００１１】
図２において、チャンバー１１２は横断面図で示されている。チャンバー床面１１４は、チャンバーの中央部で上向きに凸状になるように示されており、また、チャンバーの外周部に形成されている渦流路１１６が示されている。また、チャンバーから排出ポートを通じて外側に延在する流路１１０が示されている。
【００１２】
チャンバー床面１１４の形状が凸状であることにより、注入された薬物は渦流路１１６に流入するとともに、最終的に、チャンバー内の流体のレベルが減少するに連れて、チャンバー中央部の全ての液体が必然的に、中心からチャンバー側壁１１８および渦流路に向かって放射状に流れる。本発明の高く形成されたチャンバー床面により、注入された液体の排出が平坦な底面の構造よりも早く始まり、チャンバー中央部に液体は残らない。
【００１３】
また、図３に示すように、静脈アクセスポート１００Ａの第２実施例におけるチャンバー床面１１４Ａは、先端中心点１１５とチャンバーの側縁まで延びる平坦な傾斜面１１７を有する低い高さの円錐形であってもよい。この場合もやはり、渦流路１１６Ａを形成する。その位置において、その表面が丸みを帯びて（radiused）形成されていることが好ましい。
【００１４】
また、図３に示すように、静脈アクセスポート１００Ａの第２実施例におけるチャンバー床１１４Ａは、先端中心点１１５とチャンバーの側縁に伸びる緩やかな傾斜面１１７で低い高さの円錐形を具備してもよい。この場合もやはり、チャンバーの側壁１１８に接する周縁の表面にＲ形状をなす渦流路１１６Ａを形成することが好ましい。
【００１５】
本発明のチャンバー床面は、チャンバー床面の周辺に対して中央部が高く形成されていることが好ましく、チャンバー床面には実質的な大きさを有するに平らな部分を有していないのが理解できるであろう。本発明の変形例は、二重チャンバーまたは複数チャンバーの静脈アクセスポートのチャンバーにも容易に適用できる。そして、注入後、チャンバーに残留する液体を最小限にするという利点がある。
【図面の簡単な説明】
【００１６】
添付図面は、本明細書の一部を構成する本発明の好ましい実施の形態であり、上述した概要と下記の詳細な説明とともに発明の特徴について説明するのに役立つ。
【図１】本発明の静脈アクセスポートを構成する分解斜視図である。
【図２】本発明（の静脈アクセスポート）を説明する図１におけるポート部品の断面図である。そして、
【図３】本発明に係る別の実施形態の横断面図である。
【符号の説明】
【００１７】
１００  静脈アクセスポート、１０２  基盤、１０４  隔壁、１０６  保持蓋、１０８  排出ポート、１１０  流路、１１２  チャンバー、１１４  チャンバー床面、１１５  先端中心点、１１６  渦流路、１１７  傾斜面
【図１】
2010500887.tif 000003
【図２】
2010500887.tif 000004
【図３】
2010500887.tif 000005
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
排出ポート（１０８）を有するポート本体（１０２）と、
針を挿入可能な隔壁（１０４）とを備え、
前記ポート本体（１０２）と隔壁（１０４）は、それらの間に前記排出ポート（１０８）まで流路（１１０）と流体的に連通するチャンバー（１１２、１１２Ａ）を形成し、
前記チャンバー（１１２、１１２Ａ）は、側壁（１１８、１１８Ａ）とチャンバー底面（１１４、１１４Ａ）とを備え、
チャンバー床面の中央部がチャンバー床面の周辺部に対して高く形成されている、患者への注入用静脈アクセスポート（１００、１００Ａ）。
【請求項２】
チャンバー床面（１１４）は中央部が凸状に形成されている、請求項１に記載の静脈アクセスポート（１００、１００Ａ）。
【請求項３】
チャンバー床面（１１４）は上方の頂点（１１５）と、チャンバー床面の周縁にまで及ぶ比較的平坦に傾斜した側面（１１７）とを有する円錐形である、請求項１に記載の静脈アクセスポート（１００、１００Ａ）。
【請求項４】
チャンバー床面（１１４Ａ）の周縁は、丸みを帯びた形状を有し、チャンバー床面とチャンバー側壁（１１８Ａ）の両方が接するように、チャンバー側壁と結合する、請求項３に記載の静脈アクセスポート（１００、１００Ａ）。
【請求項５】
チャンバー床面（１１４、１１４Ａ）は、実質的な大きさの水平部分を有していない、請求項１に記載の静脈アクセスポート（１００、１００Ａ）。
【国際調査報告】
2010500887.tif 000006